(57)【特許請求の範囲】
【請求項１】
空気流を室内に向けて流す空調ケーシング（１１）と、
前記空調ケーシング内に配置され、電動モータ（２１）と、この電動モータの回転軸の回転により回転軸方向から空気を吸入して径方向に吹き出して前記空気流を発生する羽根車（２２、２３、２２Ａ、２３Ａ）とを有する送風機（２０）と、
前記空調ケーシング内に配置され、前記空気流を冷却する冷却用熱交換器（１３）と、
前記空調ケーシング内に配置され、前記冷却用熱交換器を通過した空気流を加熱する加熱用熱交換器（１５）と、
前記空調ケーシング内に配置され、前記冷却用熱交換器を通過した冷風を前記加熱用熱交換器をバイパスして流すバイパス通路（１６）と、を備え、
前記送風機は、前記冷却用熱交換器と前記加熱用熱交換器とに対して空気下流側に位置するものであり、
前記冷却用熱交換器と前記加熱用熱交換器とは、それぞれ、扁平形状に形成され、かつ平行に配置されており、
前記バイパス通路を通過した冷風と前記加熱用熱交換器を通過した温風とに基づいて前記室内を空調する空調装置であって、
前記送風機は、前記加熱用熱交換器の前記扁平形状の厚さ方向（Ｓｅ）と直交する扁平方向（Ｓｄ）の延長上に配置されており、
前記電動モータの回転軸は、前記加熱用熱交換器の空気流出面に平行になっており、
さらに、前記空調ケーシング内において前記加熱用熱交換器の空気流出面よりも空気下流側部位に、前記加熱用熱交換器を通過した空気流を前記送風機側に案内する案内壁（１８、１８ｄ）が形成されていることを特徴とする空調装置。
【請求項２】
前記空調ケーシング内にて変位自在に支持され、前記バイパス通路に流れる空気量と前記加熱用熱交換器に流れる空気量との比率を変位により調整して、前記室内に吹き出す空気温度を調整する温度調整用ドア（１７）を備え、
前記温度調整用ドアは、前記冷却用熱交換器の空気下流側で、かつ前記加熱用熱交換器の空気上流側に配置されていることを特徴とする請求項１に記載の空調装置。
【請求項３】
前記送風機の羽根車に吸い込まれる前で、前記バイパス通路を通過した冷風と前記加熱用熱交換器を通過した温風とが、７０度〜１１０度の角度で衝突するようになっていることを特徴とする請求項１または２に記載の空調装置。
【請求項４】
前記加熱用熱交換器の前記扁平方向（Ｓｄ）の一端部が天地方向上側に位置し、前記扁平方向（Ｓｄ）の他端部が天地方向下側に位置するものであることを特徴とする請求項１ないし３のいずれか１つに記載の空調装置。
【請求項５】
前記送風機は、前記加熱用熱交換器に対して上側に位置することを特徴とする請求項４に記載の空調装置。
【請求項６】
前記送風機は、前記加熱用熱交換器に対して下側に位置することを特徴とする請求項４に記載の空調装置。
【請求項７】
前記冷却用熱交換器の上側に前記加熱用熱交換器が配置される状態で、前記冷却用熱交換器と前記加熱用熱交換器とが水平方向に平行に配置されており、
前記加熱用熱交換器の前記扁平方向（Ｓｄ）の一端部が水平方向の一方側に位置し、前記扁平方向（Ｓｄ）の他端部が水平方向の他方側に位置し、前記バイパス通路（１６）は前記扁平方向（Ｓｄ）の他端部側に位置するようになっており、
前記送風機は、前記扁平方向（Ｓｄ）の他端部側で、かつ、前記冷却用熱交換器の上側に位置することを特徴とする請求項１ないし３のいずれか１つに記載の空調装置。
【請求項８】
前記冷却用熱交換器と前記加熱用熱交換器とは、前記空調ケーシングの幅方向に対して平行に配置されており、
前記電動モータの前記回転軸は、前記幅方向両側にそれぞれ突出しており、
前記回転軸のそれぞれの先端側には、前記羽根車としての第１、第２の羽根車（２２、２３、２２Ａ、２３Ａ）が配置されており、
前記電動モータは、前記空調ケーシングの幅方向の中央部に配置されていることを特徴とする請求項１ないし７のいずれか１つに記載の空調装置。
【請求項９】
前記第１、第２の羽根車（２２Ａ、２３Ａ）は、回転軸方向片側だけから空気を吸入するものであることを特徴とする請求項８に記載の空調装置。
【請求項１０】
前記第１、第２の羽根車（２２、２３）は、それぞれ、回転軸方向両側から空気を吸入するものであることを特徴とする請求項８に記載の空調装置。
【請求項１１】
前記冷却用熱交換器と前記加熱用熱交換器とは、前記空調ケーシングの幅方向に対して平行に配置されており、
前記電動モータの前記回転軸は、前記幅方向一方側にだけ突出しており、
前記回転軸の先端側には前記羽根車（２２、２２Ａ）が配置されており、
前記電動モータは、前記空調ケーシングの幅方向で幅方向他方側にオフセットして配置されていることを特徴とする請求項１ないし７のいずれか１つに記載の空調装置。
【請求項１２】
前記羽根車（２２Ａ）は、回転軸方向片側だけから空気を吸入するものであることを特徴とする請求項１１に記載の空調装置。
【請求項１３】
前記羽根車（２２）は、回転軸方向両側から空気を吸入するものであることを特徴とする請求項１１に記載の空調装置。
【発明の詳細な説明】
【技術分野】
【０００１】
本発明は、冷却用熱交換器と加熱用熱交換器とを用いて空気温度を調整する空調装置に関する。
【背景技術】
【０００２】
従来、この種の空調装置では、冷却用熱交換器と加熱用熱交換器とのそれぞれの空気下流側に送風機が配置され、冷却用熱交換器から吹き出される冷風と加熱用熱交換器から吹き出される温風とが送風機の羽根車に向かってそれぞれ並行に流れて送風機に吸い込まれて、この吸い込まれた空気が室内に向けて吹き出されるものがある（例えば、特許文献１参照）。
【特許文献１】特開昭６１−１１５７０９号公報
【発明の開示】
【発明が解決しようとする課題】
【０００３】
上述の空調装置では、冷却用熱交換器から吹き出される冷風と加熱用熱交換器から吹き出される温風とが平行に送風機の羽根車に向かって流れるので、冷風と温風とが混ざり合うことなく、送風機に吸い込まれる。このため、冷風と温風とが良好に混合されなく、室内に吹き出される空気に温度分布が生じるといった問題がある。
【０００４】
本発明は、上記点に鑑み、冷風と温風とを良好に混合されるようにした空調装置を提供することを目的とする。
【課題を解決するための手段】
【０００５】
上記目的を達成するため、本発明では、空気流を室内に向けて流す空調ケーシング（１１）と、
前記空調ケーシング内に配置され、電動モータ（２１）と、この電動モータの回転軸の回転により回転軸方向から空気を吸入して径方向に吹き出して前記空気流を発生する羽根車（２２、２３、２２Ａ、２３Ａ）とを有する送風機（２０）と、
前記空調ケーシング内に配置され、前記空気流を冷却する冷却用熱交換器（１３）と、
前記空調ケーシング内に配置され、前記冷却用熱交換器を通過した空気流を加熱する加熱用熱交換器（１５）と、
前記空調ケーシング内に配置され、前記冷却用熱交換器を通過した冷風を前記加熱用熱交換器をバイパスして流すバイパス通路（１６）と、を備え、
前記送風機は、前記冷却用熱交換器と前記加熱用熱交換器とに対して空気下流側に位置するものであり、
前記冷却用熱交換器と前記加熱用熱交換器とは、それぞれ、扁平形状に形成され、かつ平行に配置されており、
前記バイパス通路を通過した冷風と前記加熱用熱交換器を通過した温風とに基づいて前記室内を空調する空調装置であって、
前記送風機は、前記加熱用熱交換器の前記扁平形状の厚さ方向（Ｓｅ）と直交する扁平方向（Ｓｄ）の延長上に配置されており、
前記電動モータの回転軸は、前記加熱用熱交換器の空気流出面に平行になっており、
さらに、前記空調ケーシング内において前記加熱用熱交換器の空気流出面よりも空気下流側部位に、前記加熱用熱交換器を通過した空気流を前記送風機側に案内する案内壁（１８、１８ｄ）が形成されていることを第１の特徴とする。
【０００６】
これにより、バイパス通路からの冷風と加熱用熱交換器からの温風とが、送風機に吸入される前に、衝突させることが可能になる。この際、加熱用熱交換器からの温風を案内壁（１８、１８ｄ）によって送風機側に案内できるので、温風を冷風に対してより確実に衝突させることができる。
以上により、冷風と温風とが確実に衝突して送風機に吸入されるので、冷風と温風とを送風機により良好に混合できる。
【０００７】
また、冷却用熱交換器と加熱用熱交換器とが平行に配置されているので、空調装置全体の体格の小型化を図ることができる。
【０００８】
ここで、後述するように、「加熱用熱交換器の延長上」とは、加熱用熱交換器に対して扁平方向の位置のことであり、扁平方向とは、図１に示すように、例えば、加熱用熱交換器（１５）において厚さ方向（Ｓｅ：短手方向）に直交する長手方向（Ｓｄ）のことである。
【０００９】
本発明では、前記空調ケーシング内にて変位自在に支持され、前記バイパス通路に流れる空気量と前記加熱用熱交換器に流れる空気量との比率を変位により調整して、前記室内に吹き出す空気温度を調整する温度調整用ドア（１７）を備え、
前記温度調整用ドアは、前記冷却用熱交換器の空気下流側で、かつ前記加熱用熱交換器の空気上流側に配置されていることを第２の特徴とする。
【００１０】
これにより、温度調整用ドアが変位しても、送風機に吸入される前で、冷風と温風とが交差する角度が変わらなくなる。このため、温度調整用ドアの変位に関わらず、冷風と温風とを送風機に吸入される前に、衝突させることができる。
【００１１】
本発明では、前記送風機の羽根車に吸い込まれる前で、前記バイパス通路を通過した冷風と前記加熱用熱交換器を通過した空気流とが、７０度〜１１０度の角度で衝突するようになっていることを第３の特徴とする。
【００１４】
本発明では、前記冷却用熱交換器と前記加熱用熱交換器とは、前記空調ケーシングの幅方向に対して平行に配置されており、
前記電動モータの前記回転軸は、前記幅方向両側にそれぞれ突出しており、
前記回転軸のそれぞれの先端側には、前記羽根車としての前記第１、第２の羽根車（２２、２３、２２Ａ、２３Ａ）が配置されており、
前記電動モータは、前記空調ケーシングの幅方向の中央部に配置されていることを第４の特徴とする。
【００１５】
これにより、空調ケーシングの幅方向において、空気流れの風速分布の偏りを抑制できる。したがって、冷却用熱交換器を通過する空気流れの風速分布の偏りを抑制し、また加熱用熱交換器を通過する空気流れの風速分布の偏りを抑制できる。このため、温風と冷風とを混合させることを安定的に行うことができる。
【００１６】
本発明では、前記第１、第２の羽根車（２２、２３）は、それぞれ、回転軸方向両側から空気を吸入するものであることを第５の特徴とする。
【００１７】
これにより、空調ケーシングの幅方向において、空気流れの風速分布の偏りをより一層抑制できる。したがって、冷却用熱交換器を通過する空気流れの風速分布の偏りをより一層抑制でき、また加熱用熱交換器を通過する空気流れの風速分布の偏りをより一層抑制できる。このため、温風と冷風とを混合させることをより一層安定的に行うことができる。
【００１８】
なお、特許請求の範囲およびこの欄で記載した各手段の括弧内の符号は、後述する実施形態に記載の具体的手段との対応関係を示すものである。
【発明を実施するための最良の形態】
【００１９】
（第１実施形態）
以下、本発明の車両空調装置の第１実施形態について図１、図２に基づいて説明する。図１は本実施形態による車両用空調装置の室内ユニット部１０を車両左右方向から視た断面図、図２は図１中矢印Ａ方向から視た部分断面図である。図１の上下前後の矢印と図２の上下左右の矢印とは、それぞれ、車両搭載状態における方向を示す。
【００２０】
室内空調ユニット１０は、車室内最前部の計器盤（インストルメントパネル）の内側のうち、車両左右方向（すなわち、車両幅方向）の略中央部に配置されている。車両左右方向は、特許請求の範囲に記載の空調ケーシングの幅方向に相当する。
【００２１】
室内空調ユニット１０は、その外殻を形成するとともに、車室内へ向かって送風される室内送風空気の空気通路を形成する空調ケーシング１１を有している。この空調ケーシング１１は、ある程度の弾性を有し、強度的にも優れた樹脂（例えば、ポリプロピレン）にて成形されている。
【００２２】
さらに、空調ケーシング１１は、車両左右方向の略中央部に車両上下方向の分割面を有しており、この分割面で左右２つの分割部に分割できる。そして、左右２つの分割部は、その内部に後述する空気フィルタ１４、蒸発器１３、ヒータコア１５等の各構成機器を収容した状態で、金属バネ、クリップ、ネジ等の締結手段によって一体に結合されている。
【００２３】
図１に示すように、空調ケーシング１１の車両前方側かつ上方側であって、空調ケーシング１１に形成された空気通路の最上流部には、内気（車室内空気）と外気（車室外空気）とを切替導入する内外気切替部１２が設けられている。この内外気切替部１２には、空調ケーシング１１内に内気を導入させる内気導入口１１ａおよび外気を導入させる内気導入口１１ｂが形成されている。
【００２４】
内外気切替部１２の内部には、内気導入口１１ａおよび内気導入口１１ｂを開閉する内外気切替ドア１２ａが回転自在に配置されている。具体的には、この内外気切替ドア１２ａは、板状のドア本体部１２ｃの一端側に、車両左右方向に延びる回転軸１２ａが一体に結合された、いわゆる片持ちドアである。
【００２５】
内外気切替部１２では、図示しないサーボモータによって回転軸１２ａを回転させ、ドア本体部１２ｃを回転変位させることによって、内気導入口１１ａおよび内気導入口１１ｂの開口面積を連続的に調整できるようになっている。内外気切替部１２の空気流れ下流側には、蒸発器１３が配置されている。
【００２６】
蒸発器１３は、周知の蒸気圧縮式冷凍サイクル（図示せず）を構成する機器の１つであり、冷凍サイクル内の低圧冷媒を蒸発させて吸熱作用を発揮させることで、室内送風空気を冷却する冷却用熱交換器である。
【００２７】
蒸発器１３は、複数本のチューブ１３ａ、タンク１３ｂ、および熱交換フィン（図示省略）とから扁平形状に構成されている。蒸発器１３は、天地方向（すなわち、車両搭載状態で上下方向）に対して平行に配置されている。すなわち、蒸発器１３の扁平方向は天地方向に一致する。本実施形態で扁平方向とは、厚み方向Ｓａに直交し、かつ車両左右方向（図１中紙面垂直方向）に直交する長手方向Ｓｂのことである。
【００２８】
ここで、タンク１３ｂは、複数本のチューブ１３ａの上側および下側にそれぞれ配置されており、複数本のチューブ１３ａに対して冷媒を分配、および複数本のチューブ１３ａからの冷媒を集合させるものである。上側タンク１３ｂと下側タンク１３ｂとは、空調ケーシング１１により支持されている。複数本のチューブ１３ａは上下方向に並行に配置されて、それぞれ冷媒を流すものであり、熱交換フィンはチューブ１３ａ内の冷媒と空気との熱交換を促進する。
【００２９】
空調ケーシング１１内部において、蒸発器１３の空気上流側には薄板状の空気フィルタ１４が配置されており、空気フィルタ１４は蒸発器１３に流入する空気から塵等を除去する。
【００３０】
蒸発器１３の空気流れ下流側の車両後方側かつ上方側には、ヒータコア１５が配置されている。ヒータコア１５は、図示しないエンジン冷却水回路を循環する高温のエンジン冷却水を内部に流入させ、エンジン冷却水と蒸発器１３にて冷却された冷風とを熱交換させて、冷風を再加熱する加熱用熱交換器である。
【００３１】
ヒータコア１５は、複数本のチューブ１５ａ、タンク１５ｂ、および熱交換フィン（図示省略）とから扁平形状に構成されている。ヒータコア１５は、蒸発器１３に対して所定角度（約３０度未満）で傾斜することで蒸発器１３に対して並行（すなわち、略平行）に配置されている。
【００３２】
ここで、上側タンク１５ｂは若干車両前側に配置されて、複数本のチューブ１３ａに対して冷媒を分配する。下側タンク１５ｂは若干車両前側に配置されて、複数本のチューブ１３ａからの冷媒を集合させる。上側タンク１５ｂおよび下側タンク１５ｂは、それぞれ空調ケーシング１１により支持されている。複数本のチューブ１５ａは蒸発器１３に対して並行に配置されている。
【００３３】
次に、蒸発器１３の後方側であって、かつ、ヒータコア１５の下方側には、バイパス通路１６が形成されている。このバイパス通路１６は、蒸発器１３通過後の冷風がヒータコア１５を迂回して流れる通路である。
【００３４】
さらに、図１に示すように、蒸発器１３の直後には、ヒータコア１５側へ流入させる冷風と、バイパス通路１６側へ流入させる冷風との風量割合を調整する温度調整用ドアとしてのエアミックスドア１７が配置されている。このエアミックスドア１７は、車両上下方向に円弧状に湾曲して延びる板状部１７ａを、ギア機構１７ｂを介して、図示しないサーボモータによって板状部１７ａの湾曲方向に駆動変位させるスライドドアで構成されている。
【００３５】
より具体的には、エアミックスドア１７の板状部１７ａを車両上方に移動（スライド）させることによって、バイパス通路１６側の通路開度を増加させ、ヒータコア１５側の通路開度を減少させる。逆に、板状部１７ａを車両下方に移動（スライド）させることによって、バイパス通路１６側の通路開度を減少させ、ヒータコア１５側の通路開度を増加させる。
【００３６】
そして、このエアミックスドア１７の開度調整によって送風機２０へ吸入される冷風および温風の風量割合が調整され、送風機２０から、車室内に向けて送風される室内送風空気の温度調整がなされる。つまり、エアミックスドア１７は、室内送風空気の温度調整手段を構成する。
【００３７】
空調ケーシング１１内部においてヒータコア１５の下側延長上には、送風機２０が配置されている。ヒータコア１５の延長上とは、ヒータコア１５に対して扁平方向（図１中矢印Ｓｄ方向）で、かつ下側の位置のことを意味する。
【００３８】
具体的には、送風機２０は、図１、図２に示すように、電動モータ２１、羽根車２２、２３、およびスクロールケーシング２４ａ、２４ｂ（符号２４ａは図１に示し、符号２４ｂは図２に示している）を備えている。電動モータ２１は、空調ケーシング１１内部において車両左右方向中央部に配置されており、電動モータ２１の回転軸は、車両左右方向両側にそれぞれ延びている。
【００３９】
羽根車２２、２３は遠心式多翼ファンであり、羽根車２２は電動モータ２１の回転軸の左側先端部に固定されている。羽根車２２は、回転軸の周りに並べられる多数枚の翼を有して回転軸左側から図２中矢印Ｋａの如く空気を吸い込んで径方向に吹き出すファン部２２ａと、回転軸の周りに並べられる多数枚の翼を有して回転軸右側から図２中矢印Ｋｂの如く空気を吸い込んで径方向に吹き出すファン部２２ｂと、ファン部２２ａ、２２ｂを仕切る仕切り壁２２ｃとを備えている。このことにより、羽根車２２は、回転軸両側から空気を吸い込んで径方向に吹き出すことができる。
【００４０】
羽根車２３は、電動モータ２１の回転軸の右側先端部に固定されており、羽根車２３は、羽根車２２と同様に、回転軸の周りに並べられる多数枚の翼を有して回転軸左側から空気を吸い込んで径方向に吹き出すファン部２３ａと、回転軸の周りに並べられる多数枚の翼を有して回転軸右側から空気を吸い込んで径方向に吹き出すファン部２３ｂと、ファン部２３ａ、２３ｂを仕切る仕切り壁２３ｃとを備えている。このことにより、羽根車２３は、回転軸両側から空気を吸い込んで径方向に吹き出すことができる。
【００４１】
スクロールケーシング２４ａは、羽根車２２のファン部２２ａ、２２ｂを個別に収納して、かつファン部２２ａ、２２ｂから流出した空気が通過する流出空気通路を形成する。スクロールケーシング２４ａは、流出空気通路の通路断面積が羽根車２２の回転方向に向かって徐々に拡大する渦巻き状に形成されている。スクロールケーシング２４ａは、回転軸方向両側にそれぞれ設けられる２つの吸込口と、羽根車２２から吹き出される送風空気を上側に吹き出す吹出口とを備えている。
【００４２】
スクロールケーシング２４ｂは、羽根車２２のファン部２３ａ、２３ｂを個別に収納して、かつファン部２３ａ、２３ｂから流出した空気が通過する流出空気通路を形成する。スクロールケーシング２４ｂは、流出空気通路の通路断面積が羽根車２３の回転方向に向かって徐々に拡大する渦巻き状に形成されている。スクロールケーシング２４ｂは、回転軸方向両側にそれぞれ設けられる２つの吸込口と、羽根車２３から吹き出される送風空気を上側に吹き出す吹出口とを備えている。
【００４３】
空調ケーシング１１内部においてヒータコア１５の車両後側には湾曲状に形成される仕切り壁１８が形成されており、仕切り壁１８は、図１に示すように、ヒータコア１５から吹き出される温風を送風機２０側に案内する案内壁を構成する。
【００４４】
空調ケーシング１１内部において仕切り壁１８と後壁３０との間には、スクロールケーシング２４ａ、２４ｂから吹き出される送風空気を吹出口３５、３６に導く空気通路４０（図１参照）が設けられている。吹出口３６は、空調ケーシング１１の上面部の車両後方側部位に設けられており、吹出口３６は、空気通路４０を流れる空気流を乗員上半身に向けて吹き出すフェイス開口部である。
【００４５】
吹出口３５は、空調ケーシング１１の上面部のうち吹出口３６よりも車両前側に配置されており、吹出口３５は、空気通路４０を流れる空気流を車両フロントガラス内面に向けて吹き出すデフロスタ開口部である。空調ケーシング１１のうち吹出口３５、３６の内側には吹出モードドア３７が配置されており、
吹出モードドア３７は、車両前後方向に円弧状に湾曲して延びる板状部３７ａを、ギア機構３７ｂを介して、図示しないサーボモータによって板状部３７ａの湾曲方向に駆動変位させるスライドドアで構成されている。
【００４６】
より具体的には、吹出モードドア３７の板状部３７ａを車両前方に移動（スライド）させることによって、吹出口３６側の通路開度を増加させ、吹出口３５側の通路開度を減少させる。逆に、板状部３７ａを車両後方に移動（スライド）させることによって、吹出口３５側の通路開度を増加させ、吹出口３６側の通路開度を減少させる。
【００４７】
空調ケーシング１１の後壁３０には、図１に示すように、後席側フット開口部３９が設けられており、後席側フット開口部３９は、空気通路４０を流れる空気流を後席側の乗員足元部に向けて吹き出す。空調ケーシング１１には、図２に示すように、前席側フット開口部４１が設けられており、前席側フット開口部４１は、空気通路４０を流れる空気流を前席側の乗員足元部に向けて吹き出す。
【００４８】
空調ケーシング１１においてフット開口部３９、４１の内側には、フットドア４２が配置されており、フットドア４２は、板状のドア本体部４２ｂの略中央部に車両前後方向に延びる回転軸４２ａが一体に結合された、いわゆるバタフライドアである。そして、図示しないサーボモータによって回転軸４２ａを回転させ、ドア本体部４２ｂを回転変位させることで、フット開口部３９、４１を開閉する。
【００４９】
次に、本実施形態の室内ユニット部１０の作動について説明する。
まず、送風機２０の電動モータ２１が羽根車２２、２３をそれぞれ回転駆動させる。すると、羽根車２２は、スクロールケーシング２４ａの両方の吸込口から空気を吸い込んでスクロールケーシング２４ａの吹出口から吹き出す。羽根車２３は、スクロールケーシング２４ｂの両方の吸込口から空気を吸い込んでスクロールケーシング２４ｂの吹出口から吹き出す。このような送風機２０の作動により、空調ケーシング１１内には、内気導入口１１ａと外気導入口１１ｂとうち少なくとも一方の導入口を通して空気が導入される。
【００５０】
この一方の導入口から導入された送風空気は空気フィルタ１４を通過して蒸発器１３に流入する。この送風空気は蒸発器１３を通過した際に冷媒と熱交換されて冷却されて冷風となる。
【００５１】
ここで、エアミックスドア１７がバイパス通路１６の通路入口とヒータコア１５の通路入口とをそれぞれ開口している状態である場合には、蒸発器１３から吹き出される冷風のうち一部の冷風は、ヒータコア１５側に流れ込んでヒータコア１５により加熱される。このため、ヒータコア１５から温風として吹き出されることになる。この温風は、仕切り壁１８により送風機２０側に案内されて図１中の矢印ｒａの如く流れる。蒸発器１３から吹き出される冷風のうち残りの冷風は、バイパス通路１６を通過して図１中の矢印ｒｂの如く流れる。
【００５２】
これに伴い、バイパス通路１６を通過した冷風とヒータコア１５から吹き出される温風とは、スクロールケーシング２４ａの両吸込口側に流れる。これら吸込口に吸い込まれる前で冷風と温風とは約９０度の角度で衝突する。また、バイパス通路１６を通過した冷風とヒータコア１５から吹き出される温風とは、スクロールケーシング２４ｂの両吸込口に流れる。これら吸込口に吸い込まれる前で冷風と温風とは約９０度の角度で衝突する。
【００５３】
このように、スクロールケーシング２４ａ、２４ｂにより吸い込まれる前で衝突された冷風と温風とは、羽根車２２、２３の作動により吸い込まれて径方向に吹き出される。このことにより、当該衝突された冷風と温風とは混合されて空調風として径方向に吹き出されることになる。
【００５４】
その後、空調風は、スクロールケーシング２４ａ、２４ｂを通過して空気通路４０に吹き出される。この吹き出される空調風は、空気通路４０を通過して、吹出口３６、３７およびフット開口部３９、４１のいずれかから車室内に向けて吹き出される。
【００５５】
以上説明した本実施形態では、ヒータコア１５の下側延長上（すなわち、扁平方向Ｓｄ下側）には、送風機２０が配置されている。このため、バイパス通路１６を通過した冷風とヒータコア１５から吹き出される温風とは、スクロールケーシング２４ａ（２４ｂ）の両吸込口に吸い込まれる前で約９０度の角度で衝突する。
【００５６】
したがって、冷風と温風とが送風機２０の羽根車２２、２３により良好に混合されるので、吹出口３５、３６およびフット開口部３９、４１からそれぞれ車室内に吹き出される空調風において温度分布が生じることが抑制される。
【００５７】
本実施形態では、エアミックスドア１７は、蒸発器１３の空気下流側で、かつヒータコア１５の空気上流側に配置されている。したがって、エアミックスドア１７がスライド移動してバイパス通路１６に流れる風量とヒータコア１５に流れる風量との比率が変更されても、バイパス通路１６とヒータコア１５とにそれぞれ冷風が流れる限り、スクロールケーシング２４ａ（２４ｂ）の両吸込口に吸い込まれる前で冷風と温風とが衝突する角度が変わらない。これにより、エアミックスドア１７の位置に関わらず、冷風と温風とを送風機２０により良好に混合できる。
【００５８】
本実施形態では、蒸発器１３とヒータコア１５とが略平行に配置されているので、室内ユニット部１０の体格の小型化を図ることができる。
【００５９】
本実施形態では、空調ケーシング１１内部において、仕切り壁１８により、ヒータコア１５から吹き出される温風を送風機２０のスクロールケーシング２４ａ（２４ｂ）の両吸込口側に案内しているので、より確実に冷風と温風とが衝突させることができる。
【００６０】
本実施形態では、電動モータ２１は、空調ケーシング１１内部において車両左右方向中央部に配置されている。そして、羽根車２２は電動モータ２１の回転軸の左側先端側に配置されており、羽根車２３は電動モータ２１の回転軸の右側先端側に配置されている。
【００６１】
これにより、空調ケーシング１１の車両左右方向において、空気流れの風速分布の偏りを抑制できる。したがって、蒸発器１３を通過する空気流れの風速分布の偏りを抑制し、またヒータコア１５を通過する空気流れの風速分布の偏りを抑制できる。このため、温風と冷風とを混合させることを安定的に行うことができる。
【００６２】
また、羽根車２２、２３は、それぞれ回転軸方向両側から空気を吸い込むので、空調ケーシング１１の車両左右方向において、空気流れの風速分布の偏りをより一層抑制できる。したがって、蒸発器１３を通過する空気流れの風速分布の偏りをより一層抑制し、またヒータコア１５を通過する空気流れの風速分布の偏りをより一層抑制できる。このため、温風と冷風とを混合させることをより一層安定的に行うことができる。
【００６３】
上述の第１実施形態では、バイパス通路１６を通過した冷風とヒータコア１５から吹き出される温風とがスクロールケーシング２４ａ（２４ｂ）の両吸込口に吸い込まれる前で約９０度の角度で衝突するようにした例について説明したが、これに限らず、バイパス通路１６を通過した冷風とヒータコア１５から吹き出される温風とが略７０度〜１１０度の角度で衝突するようにしてもよい。
【００６４】
（第２実施形態）
上述の第１実施形態では、送風機２０の羽根車２２（２３）は、回転軸方向両側からそれぞれ空気を吸い込む羽根車を用いた例について説明したが、これに代えて、第２実施形態では、図３に示すように、送風機２０の羽根車２２Ａ（２３Ａ）は、回転軸方向片側だけから空気を吸い込む羽根車を用いる。図３において図１、図２と同一符号は同一のものを示している。
【００６５】
具体的には、羽根車２２Ａは、矢印Ｋａの如く、回転軸方向左側から空気を吸い込んで径方向に吹き出す羽根車であり、羽根車２３Ａは、矢印Ｋｂの如く、回転軸方向右側から空気を吸い込んで径方向に吹き出す羽根車である。羽根車２２は、スクロールケーシング２４ａに収納されており、羽根車２３は、スクロールケーシング２４ｂに収納されている。図３中２１ａは回転軸である。なお、本実施形態では、送風機２０の羽根車２２（２３）以外の構造は、上述の第１実施形態と同様であるため、その詳細説明は省略する。
【００６６】
（第３実施形態）
上述の第１実施形態では、送風機２０としては、２つの羽根車２２、２３を備えるものを用いた例について説明したが、これに代えて、第３実施形態では、図４に示すように、送風機２０としては、１つの羽根車２２だけを用いている。図４において図１、図２と同一符号は同一のものを示しその説明を省略する。
【００６７】
第３実施形態では、電動モータ２１の回転軸２１ａは車両左右方向の左方側（すなわち、一方側）にだけ突出しており、電動モータ２１が車両左右方向で右側（すなわち、他方側）にオフセットして配置されており、１つの羽根車２２だけが車両左右方向中央部に配置されている。
【００６８】
羽根車２２は、電動モータ２１の回転軸２１ａの先端側に固定されており、羽根車２２は、上述の第１実施形態と同様に、回転軸方向左側から図２中矢印Ｋａの如く空気を吸い込んで径方向に吹き出すファン部２２ａと、回転軸方向右側から図２中矢印Ｋｂの如く空気を吸い込んで径方向に吹き出すファン部２２ｂと、ファン部２２ａ、２２ｂを仕切る仕切り壁２２ｃとを備えている。このことにより、羽根車２２は、回転軸両側から空気を吸い込んで径方向に吹き出すことができる。なお、本実施形態では、送風機２０の羽根車２２以外の構造は、上述の第１実施形態と同様であるため、その詳細説明は省略する。
【００６９】
上述の第３実施形態では、電動モータ２１の回転軸２１ａが車両左方側に突出し、電動モータ２１が車両左右方向の右側にオフセットして配置されている例について説明したが、これに代えて、電動モータ２１の回転軸２１ａが車両右側に突出し、電動モータ２１が車両左側にオフセットしているものでもよい。
【００７０】
（第４実施形態）
上述の第３実施形態では、送風機２０の羽根車２２として、回転軸方向両側からそれぞれ空気を吸い込んで径方向に吹き出す遠心式ファンを用いる例について説明したが、これに限らず、第４実施形態では、図５に示すように、羽根車２２Ａとして、回転軸方向片側だけから空気を吸い込んで径方向に吹き出す遠心式ファンを用いる。図５において図４と同一符号は同一のものを示しその説明を省略する。なお、本実施形態では、送風機２０の羽根車２２以外の構造は、上述の第１実施形態と同様であるため、その詳細説明は省略する。
【００７１】
（第５実施形態）
上述の第４実施形態では、空調ケーシング１１内部においてヒータコア１５の扁平方向下側の延長上に送風機２０を配置した例について説明したが、これに変えて、第５実施形態では、図６に示すように、ヒータコア１５の延長上で上側（すなわち、扁平方向Ｓｄで上側）に送風機２０を配置する。
【００７２】
第５実施形態では、空調ケーシング１１のうちヒータコア１５の車両後側の後壁１８ｄが湾曲状に形成されており、後壁１８ｄは、ヒータコア１５から吹き出される温風を送風機２０のスクロールケーシング２４ａ、２４ｂ（図６ではスクロールケーシング２４ｂを省略する）の両吸込口側に案内する案内壁を構成する。
【００７３】
このため、ヒータコア１５から吹き出される温風は、後壁１８ｄに沿って矢印ｒａの如く上側に流れる。その後、この温風は、スクロールケーシング２４ａ（２４ｂ）の両吸込口に吸い込まれる前で、蒸発器１３からの冷風と約９０度の角度で衝突する。ここで、蒸発器１３からの冷風は矢印ｒｂの如く車両後側へ向かって水平に吹き出される。
その後、この衝突した冷風と温風とは、羽根車２２（２３）の作動により吸い込まれて径方向に吹き出される。このことにより、当該衝突された冷風と温風とは混合されて空調風として吹出口３６等から吹き出されることになる。
【００７４】
本実施形態では、スクロールケーシング２４ａ（２４ｂ）の吹出口３６が乗員上半身に向けて吹き出すフェイス開口部を構成している。
【００７５】
なお、本実施形態においても、上述の第１実施形態と同様に、デフロスタ開口部、吹出モードドア３７、フット開口部、およびフットドア等が設けられているが、これらは図面上省略している。また、図６において図１、図２と同一符号は同一のものを示しその説明を省略する。
【００７６】
（第６実施形態）
第６実施形態では、図７に示すように、送風機２０が蒸発器１３の天地方向上側に配置されている。図７において、図１、図２と同一符号は、同一又は実質的に同一のものを示している。
【００７７】
第６実施形態では、上述の第１実施形態の室内ユニット部１０に対して、送風機２０、蒸発器１３、ヒータコア１５等の配置等が異なるだけであるので、以下相違点だけを説明する。
【００７８】
第６実施形態では、蒸発器１３は水平方向に並行に配置されている。すなわち、蒸発器１３の扁平方向は、水平方向に一致している。ヒータコア１５は、蒸発器１３（すなわち、水平方向）に対して所定角度（約３０度未満）で傾斜することで蒸発器１３に対して並行（略平行）に配置されている。
【００７９】
エアミックスドア１７の板状部１７ａは車両前後方向に移動（スライド）させることによって、バイパス通路１６側の通路開度と、ヒータコア１５側の通路開度とをそれぞれ増減させる。
【００８０】
さらに、内気導入口１１ａ、外気導入口１１ｂ、および内外気切替ドア１２は、空調ケーシング１１の車両前側で下側に配置されている。後席側フット開口部３９が天地方向上側に開口しており、吹出口３５、３６は、車両後側に向けて開口している。
【００８１】
（他の実施形態）
上述の第１〜第５実施形態では、本発明の空調装置を車両用空調装置に適用した例について説明したが、これに限らず、車両用空調装置以外の設置型の空調装置に適用してもよい。
【００８２】
上述の第１〜第５実施形態では、ヒータコア１５において扁平方向を、厚み方向Ｓｅに直交し、かつ車両左右方向（図１中紙面垂直方向）に直交する長手方向Ｓｄとする例について説明したが、これに代えて、ヒータコア１５において扁平方向を厚み方向Ｓｅに直交する車両左右方向（図１中紙面垂直方向）としてもよい。この場合、送風機２０をヒータコア１５に対して車両左右方向に配置する。
【００８３】
上述の第１〜第５実施形態では、エアミックスドア１７としてスライド式ドアを用いた例について説明したが、これに限らず、エアミックスドア１７として、板ドア、ロータリドアなどを用いてもよい。
【図面の簡単な説明】
【００８４】
【図１】本発明に係る第１実施形態の車両用空調装置の室内ユニット部を車両左右方向から視た断面図である。
【図２】図１中矢印Ａ方向から室内ユニット部の内部を視た図である。
【図３】本発明に係る第２実施形態の室内ユニット部内部を車両後側から視た断面図である。
【図４】本発明に係る第３実施形態の室内ユニット部内部を車両後側から視た断面図である。
【図５】本発明に係る第４実施形態の室内ユニット部内部を車両後側から視た断面図である。
【図６】本発明に係る第５実施形態の室内ユニット部内部を車両左右方向から視た断面図である。
【図７】本発明に係る第６実施形態の室内ユニット部内部を車両左右方向から視た断面図である。
【符号の説明】
【００８５】
１０…室内ユニット部、１１…空調ケーシング、１１ａ…内気導入口、
１１ｂ…外気導入口、１２…内外気切替ドア、１３…蒸発器、１５…ヒータコア、
１７ａ…エアミックスドア、２０…送風機、２１…電動モータ、２２、２３…羽根車、  ２４ａ、２４ｂ…スクロールケーシング、３５、３６…吹出口、
３７…吹出モードドア、３９、４１…フット開口部。
【図１】
0004513835.tif 000002
【図２】
0004513835.tif 000003
【図３】
0004513835.tif 000004
【図４】
0004513835.tif 000005
【図５】
0004513835.tif 000006
【図６】
0004513835.tif 000007
【図７】
0004513835.tif 000008